(57)【要約】      （修正有）【課題】家庭において、患者本人、家族及び訪問看護等でも、作業が出来る排尿消毒装置を提供する。【解決手段】膀胱６にカテーテル１４を挿入し人工的に尿を膀胱より抜取り廃棄し、さらに消毒液を膀胱に注入する。しかも前記の尿の抜取し廃棄、消毒液を膀晄に注入する、同時に一貫作業で簡易な方法で治療、さらに持運びに便利なようにコンパクトな排尿消毒装置。従来の頻繁な作業工程の、注射筒１の装着と脱着を繰り返さず、尿の抜取り、尿廃棄、消毒液の汲上げ、消毒液を膀胱に注入、同時に簡易方法で完了する。【選択図】図１
2009189750.tif 000002
【特許請求の範囲】
【請求項１】
膀胱内に挿入され膀胱内の尿を吸いだす第一の管路および膀胱内に挿入された膀胱に消毒液を送り込む第二の管路と、挿入口が共通の消毒液容器と採尿容器と注射筒と逆支弁により構成され、前記消毒液容器と膀胱は前記管路により逆支弁を介して連結され、前記採尿容器と前膀胱は前記管路により逆支弁を介して連結され、前記注射筒は前記消毒液容器と前記採尿容器を連結する挿入口に挿入されたことを特徴とする膀胱洗浄装置である。
【請求項２】
前記注射筒と前記逆支弁による構成された、前記注射筒の圧力により、前記採尿容器に貯蔵された尿を前記尿廃棄容器に廃棄し、前記消毒容器に貯蔵された、消毒液を前記膀胱に注入することが一回の作業が同時に行う事が出来る、請求項１に関することを特徴とする膀胱洗浄装置である。
【発明の詳細な説明】
【技術分野】
【０００１】本発明は、医療器具の分野で簡易な膀胱洗浄装置に関する。
【背景技術】
【０００２】従来、尿道が炎症によって狭窄され、自然排尿が出来ず困難をきたした患者に対し従来は、尿道にカテーテルを挿入し膀胱まで導入、大型注射筒を用い、尿を吸出し、注射筒に採集した尿を、カテーテルに装着した注射筒を取り外し、尿を外部に廃棄、さらに消毒液を注射筒に吸入、其のまま尿道カテーテルに注射筒を装着、消毒液を膀胱に注入する。一回の作業に、カテーテルに対して注射筒を脱着するのは十数回に及んでいた。
【発明の開示】
【発明が解決しようとする課題】
【０００３】医師は、片手で注射筒を用い尿の混濁が無くなるまで、注射筒を装着、尿汲出、廃棄、さらに注射筒に消毒液を吸入して膀胱に注入、一回の作業に十数回におよぶ脱着作業を行った、その為、非常に時間と労力を要したといった、問題点があった。【０００４】膀胱洗浄のために、少なくとも週２〜３回の治療が必要で、しかも一人では通院出来ず、家族を伴い通院した。
【課題を解決するための手段】
【０００５】本発明は、注射筒１、注射筒１’採尿容器２及び採消毒液容器３を置く、前記容器には、注入及び排出の出入口に逆止弁８（吸入用）と逆支弁８‘（排出用）を置く、各チューブを経由して、ツーウェイカテーテル１４を尿道７膀胱６に挿入する。一回の作業に注射筒１’を引上げ、その吸上げ圧力によって、膀胱６より尿を吸上げて採尿容器２に集め、同時に採消毒液容器５より、消毒液を吸上げ消毒液容器３に集め、上記の作業は同時に行うことが出来る。【０００６】さらに、注射筒１’を押下げると、その圧力によって、採尿容器２と採消毒容器３に逆支弁８’各チューブを経由して尿廃棄容器４に、さらに、消毒液は逆支弁８’チューブを経由して膀胱６に注入する。【０００７】上述したように本発明の膀胱洗浄装置は、治療時間の短縮によって、患者は言うにおよばず家族、治療費の軽減となる。【０００８】人は、日常生活において一日に数回の排尿をします。患者によっては尿道にカテーテルを装着しその先端に廃棄尿袋を携帯している。【０００９】介護老人施設等々で、寝たきりの患者に対しての排尿  排便については、「おしめ」よって解決しておる現状である。【００１０】患者が排尿を催した場合、本装置によって、排尿を簡易に行う事ができる。
【発明の実施するための最良の形態】
【実施例１】
【００１１】最初に前もって消毒液を、消毒液貯蔵容器５に注入しで貯蔵して置く。
図２は、次に消毒液貯蔵容器５に溜めてある消毒液を、注射筒１’を引上げることにより、其の吸引圧力により消毒液汲上用チューブ１２と逆支弁８を経由して採消毒液容器３に貯蔵される。
同時に上記注射筒１’を引上げることにより、其の吸引圧力よって膀胱６より尿汲上用チューブ１０と逆支弁８を経由して採尿容器２に貯蔵する。
【実施例２】
【００１２】図３は、上記に説明した、採消毒液容器３に貯蔵された消毒液は注射筒１’を押出す圧力により、逆止弁８’消毒液注入用チューブ１１、カテーテル１４、尿道７を経由して膀胱６に注入する事ができる。
同時に排尿は前記、注射筒１’を上記押出す圧力により、逆支弁８’尿廃棄用チューブ９を経由して、尿廃棄容器４に廃棄する。
【実施例３】
【００１３】図２、図３に示す、矢印１６は液体の一方向の流れを示す。逆支弁８逆支弁８’については、言うまでもなく液体の流れが一方向に流れ、逆流は出来ない構造である。
【実施例４】
【００１４】各部品の効果および作用の説明。
注射筒１及び注射筒１’は、吸入、押出しの装置である。
採尿容器２は、膀胱６より吸上げた尿を貯蔵する密封された容器である。
採消毒液容器３は、消毒液貯留容器５より必要量を一次的に貯蔵する密封容器である。
尿廃棄容器２は、膀胱より汲出した尿を一次的に貯蔵する密封容器である。
消毒液貯留容器５は、消毒液を一次貯留する容器である。
逆止弁８は、採尿容器吸入用及び採消毒液汲上用で、逆支弁８’は排出用である。
シリンジ取付口１３は注射筒１の取付口で脱着は自在となっている。
ツーウェイ尿道カテーテル１４は、尿排出経路と消毒液注入経路が、別々の２通路になっている。
チューブ取付口１５はカテーテルと各チューブの接合口である。
尿廃棄容器４及び消毒液貯留容器５に空気孔１７を設ける。
吸入仮想移動１８（注射筒）及び排出仮想移動１９（注射筒）は、吸入圧、押出圧を作る為の仮想移動を示す。
【産業上の利用可能性】
【００１５】本発明は、従来の頻繁な治療に比べ、作業が単純で安全である。しかも、在宅でも治療ができ、治療時間の短縮となり、患者の負担が軽減される。尚、軽量化と同時に製造原価が安価で、治療費の軽減となり経済的効果がある。
【図面の簡単な説明】
【００１６】
【図１】膀胱洗浄装置の全体図である。
【図２】尿および消毒液の吸入流体を示す。
【図３】尿廃棄および消毒液の膀胱注入流体を示す。
【符号の説明】
【００１７】          １        注射筒
１’      注射筒内部
２        採尿容器
３        採消毒液容器
４        尿廃棄容器
５        消毒液貯留容器
６        膀胱
７        尿道
８        逆止弁（吸入）
８’      逆支弁（排出）
９        尿廃棄用チューブ
１０        尿汲上用チューブ
１１        消毒液注入用チューブ
１２        消毒液汲上用チューブ
１３        シリンジ取付口（注射筒取付口）
１４        ツーウェイ尿道カテーテル
１５        チューブ取付口
１６        矢印は流体を示す
１７        空気孔
１８        吸入仮想移動（注射筒）
１９        排出仮想移動（注射筒）
【図１】
2009189750.tif 000003
【図２】
2009189750.tif 000004
【図３】
2009189750.tif 000005